【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
遊技機外部に設けられて、遊技機に対して遊技媒体の貸出を要求する外部装置が記憶媒体に記憶された有価価値情報を読み込んだことに基づいて出力する外部信号を受信する外部信号受信手段と、
その外部信号受信手段が受信した外部信号に基づいて、遊技媒体の払出制御を実行する払出制御手段と、
前記外部信号受信手段が受信した前記外部信号を判別して遊技者に記憶媒体に関する演出を実行する演出実行手段と、を有するものであることを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明は、パチンコ機などの遊技機に関するものである。
【背景技術】
【０００２】
従来の遊技機には、遊技球等の遊技媒体の貸出を行うために、カードやコイン等の媒体を利用して遊技機に遊技媒体の貸出をさせる貸出用ユニット（カード読取ユニット）を遊技機に装着させるものが提案されていた。
【先行技術文献】
【特許文献】
【０００３】
【特許文献１】特開平１１−２２１３３６号公報
【発明の概要】
【発明が解決しようとする課題】
【０００４】
しかしながら、かかる遊技機では、貸出用ユニット（カード読取ユニット）側からの指令により遊技機は遊技媒体を払いだす制御を行うのみであり、遊技機側では、貸出用ユニットの制御を行わない。よって、遊技機としては、貸出用ユニットにカードやコイン等が挿入された状態であるか判別ができなかった。このため、かかる遊技機では、遊技者にカードやコイン等の抜き忘れ等を知らせる制御を行えず、遊技者がカードやコイン等を抜き忘れてしまい、盗難や紛失の被害に遭うという問題点があった。
【０００５】
本発明は、上記例示した問題点等を解決するためになされたものであり、遊技者が遊技媒体の貸出用ユニット（カード読取ユニット）にカードやコイン等を抜き忘れることによる、遊技者の不利益を低減させる遊技機を提供することを目的としている。
【課題を解決するための手段】
【０００６】
この目的を達成するために請求項１記載の遊技機は、遊技機外部に設けられて、遊技機に対して遊技媒体の貸出を要求する外部装置が記憶媒体に記憶された有価価値情報を読み込んだことに基づいて出力する外部信号を受信する外部信号受信手段と、その外部信号受信手段が受信した外部信号に基づいて、遊技媒体の払出制御を実行する払出制御手段と、前記外部信号受信手段が受信した前記外部信号を判別して遊技者に記憶媒体に関する演出を実行する演出実行手段と、を有するものである。
【発明の効果】
【０００７】
本発明の遊技機によれば、遊技機外部に設けられて、遊技機に対して遊技媒体の貸出を要求する外部装置が記憶媒体に記憶された有価価値情報を読み込んだことに基づいて出力する外部信号を受信する外部信号受信手段と、その外部信号受信手段が受信した外部信号に基づいて、遊技媒体の払出制御を実行する払出制御手段と、前記外部信号受信手段が受信した前記外部信号を判別して遊技者に記憶媒体に関する演出を実行する演出実行手段と、を有するものである。よって、遊技者の不利益を低減することができるという効果がある。
【図面の簡単な説明】
【０００８】
【図１】第１実施形態におけるパチンコ機とカード読取ユニット（ＣＲユニット）との正面図である。
【図２】（ａ）は、第１実施形態におけるパチンコ機とカード読取ユニットとの電気的構成を示すブロック図であり、（ｂ）は、第１実施形態の変形例１におけるパチンコ機とカード読取ユニットとの電気的構成を示すブロック図であり、（ｃ）は、第１実施形態の変形例２におけるパチンコ機とカード読取ユニットとの電気的構成を示すブロック図であり、（ｄ）は、第１実施形態の変形例３におけるパチンコ機とカード読取ユニットとの電気的構成を示すブロック図である。
【図３】第１実施形態におけるパチンコ機とカード読取ユニットとの電気的接続を示すブロック図である。
【図４】図３のブロック図のうち、カード読取ユニットと残高表示器とパチンコ機との電気的接続を示すブロック図である。
【図５】第１実施形態における可変表示装置に表示される表示態様を示した図である。
【図６】第１実施形態における残高表示器を示した図である。
【発明を実施するための形態】
【０００９】
以下、本発明の好ましい実施例について、添付図面を参照して説明する。第１実施形態では、遊技機の一例として弾球遊技機の一種であるパチンコ機、特に、第１種パチンコ遊技機を用いて説明する。なお、本発明を第２種パチンコ遊技機や第３種パチンコ遊技機や他の遊技機に用いることは、当然に可能である。
【００１０】
図１は、第１実施例のパチンコ機１の正面図である。パチンコ機１の左方には、カード読取ユニット（ＣＲユニット）１８が並設されている。パチンコ機１の前面（図１の紙面に対して手前側）には遊技盤２が配設されている。
【００１１】
遊技盤２の前面には略円弧状の外レール３が植立され、その外レール３の内側位置には円弧状の内レール４が植立されている。この内レール４および外レール３により囲まれた遊技盤２の前面には、球（打球）Ｐが打ち込まれる遊技領域５が形成されており、遊技領域５の周囲には、球Ｐが入賞することにより所定数（例えば、５個）の球Ｐが賞球として払い出される複数の普通入賞口６が配設されている。この複数の普通入賞口６が配設された遊技領域５の略中央部分には、複数種類の識別情報としての図柄等を表示する液晶ディスプレイ（ＬＣＤ）７を備えた可変表示装置８が配設されている。なお、液晶ディスプレイ７に代えて、例えば、リール等を用いて可変表示装置を構成するようにしても良い。
【００１２】
遊技盤２の右斜め上方向には、パチンコ機１で発生した異常等を遊技者に示唆するためのエラー報知ランプ４６が配設されている。このエラー報知ランプ４６は、後述する払出カウントスイッチ６６のカウント異常（エラー）や、同じく後述する払出用モータ６２の駆動異常等が発生した場合に点灯されるランプである。遊技者は、このエラー報知ランプ４６が点灯していることを認識することによって、パチンコ機１において何かしらの異常が発生していることを察知させることができる。従って、エラー報知ランプ４６が点灯していた場合、遊技者は遊技を停止すると共に遊技場の従業員等に呼び掛け、その異常を解消させ得ることができる。
【００１３】
可変表示装置８の下方には、図柄作動ゲート（第１種始動口）９が配設されている。図柄作動ゲート９を球Ｐが通過することにより、第１種始動口スイッチ３９（図２参照）がオンして、上述した可変表示装置８の変動表示が開始されると共に、所定数の球Ｐが賞球として払い出される。また、図柄作動ゲート９の下方には可変入賞装置１０が配設されており、この可変入賞装置１０の略中央部分には大入賞口の開口１０ａが穿設されている。この大入賞口の開口１０ａは、可変表示装置８の変動後の表示結果が予め定められた図柄の組み合わせ（大当たり表示）の１つと一致する場合に、球Ｐが入賞し易いように所定時間（例えば、３０秒）経過するまで、又は、所定個数（例えば、１０個）の球Ｐが大入賞口の開口１０ａへ入賞するまで、開放されるものである。この大入賞口の開口１０ａの開閉動作の行われ得る状態が、いわゆる所定の遊技価値が付与された状態（特別遊技状態、通称、「大当たり」状態）である。
【００１４】
可変入賞装置１０の下方であって上述した遊技領域５外には前面扉板（腰板）１１が配設され、この前面扉板１１の前面には、球Ｐを貯留し、かつ、遊技領域５内に球Ｐを打ち込む球発射装置（図示せず）へ球Ｐを供給する上皿１２が配設されている。上皿１２の下方であって、パチンコ機１の下側部分には上皿１２に貯留しきれなかった球Ｐを貯留するための下皿１３が配設されている。上皿１２の上方における前面扉板１１の上部中央には、後述するカード読取ユニット（ＣＲユニット）１８により読み取られたカードの残高金額を表示するために、７セグメントＬＥＤにより構成された残高表示器１４が配設されている。この残高表示器１４の右側には、後述するカード読取ユニット１８のカード挿入口１９に挿入されたカードを取り出す場合に押下される返却ボタン１５が配設される一方、残高表示器１４の左側には、貸球の払い出し（貸出）を開始する際に押下される貸出ボタン１６が配設されている。また、貸出ボタン１６の左側上方には貸出ボタン１６が押下可能か否かを報知する貸出ボタンランプ１７が配設されており、この貸出ボタンランプ１７は、貸出ボタン１６が押下可能な状態である場合に点灯される一方、貸出ボタン１６が押下不可能な状態である場合に消灯される。よって、遊技者は、この貸出ボタンランプ１７を視認することにより、貸出ボタン１６が押下可能であるか、否かを判断することができる。
【００１５】
上記のように構成されたパチンコ機１の左側には、正面視長方形状のカード読取ユニット１８が並設されている。カード読取ユニット１８はカードに記憶された残高金額のデータを読み取るためのものであり、その上下方向における略中央部分には、金銭と同様の有価価値を有するカードを挿入するためのカード挿入口１９が配設されている。このカード挿入口１９の上方であって、カード読取ユニット１８の上部にはカード利用可能ランプ２０が配設されており、このカード利用可能ランプ２０は、例えば、カード挿入口１９へカードが挿入可能である場合に点灯される一方、カード挿入口１９へカードが挿入不可能である場合に消灯される。よって、遊技者は、このカード利用可能ランプ２０を視認することにより、カード読取ユニット１８が使用可能であるか否かを判断することができる。
【００１６】
カード挿入口１９とカード利用可能ランプ２０との間部分であって、カード読取ユニット１８の上側位置には、カードに記録された残高金額のデータに基づいて貸出金額を設定するための金額設定ボタン２１が配設されており、この金額設定ボタン２１を押下することにより貸出金額を１００円、２００円、３００円又は５００円に設定することができる。なお、通常、貸出金額は５００円に設定されており、１００円分の貸球（例えば、２５球）に相当する球Ｐの払い出しを計５回（例えば、１２５球）行うものである。
【００１７】
金額設定ボタン２１の下側には、端数表示ボタン２２が配設されている。この端数表示ボタン２２は、カードに記憶された残高金額が貸出金額の最低額（例えば、１００円）に満たない場合に、その端数を残高表示器１４に表示する際に押下されるものである。
【００１８】
端数表示ボタン２２の下側には、略三角形状に形成された上下一対の連結台方向表示ランプ２３が配設されている。この一対の連結台方向表示ランプ２３は、カード読取ユニット１８が接続されているパチンコ機１の配設（並設）方向を示すためのものであり、その内部にそれぞれ１つずつＬＥＤが内蔵されている。よって、例えば、カード読取ユニット１８が左側に並設されるパチンコ機（図示せず）に接続される場合には上側のＬＥＤが点灯されるのである。この連結台方向表示ランプ２３の下側には、１つのＬＥＤで構成されたカード挿入中ランプ２４が配設されており、このカード挿入中ランプ２４は、カードがカード挿入口１９に挿入されている場合に点灯される一方、カードがカード挿入口１９に挿入されていない場合に消灯される。尚、カード利用可能ランプ２０および連結台方向表示ランプ２３は、カード読取ユニット１８の電源投入とともに点灯される。
【００１９】
図２（ａ）は、パチンコ機１の電気的構成を示したブロック図である。特に、パチンコ機１の遊技内容の制御を行う主制御装置２０１と、主制御装置２０１からの制御信号に基づいて、賞球や貸球の払出制御を行う払出制御装置２０２、ＬＣＤ７の表示制御や、スピーカ７７の音声制御等を行う音声ランプ制御装置２０３、払出制御装置２０２に対して遊技球の貸し出しに関する制御信号を出力するカード読取ユニット１８との電気的構成を示したブロック図である。
【００２０】
パチンコ機１の主制御装置２０１は、演算装置であるＭＰＵと、そのＭＰＵにより実行される各種の制御プログラムや固定値データ等を記憶したＲＯＭと、ワークメモリ等として使用されるＲＡＭとを備えている。主制御装置２０１のＭＰＵが実行する制御プログラムは、ＲＯＭに記憶されている。
【００２１】
主制御装置２０１のＭＰＵは、普通入賞口６や図柄作動ゲート９等への入賞に基づいて、払出制御装置２０２に対して賞球を払い出すための賞球コマンドを生成して、出力する処理や、遊技の進行に基づいて、音声ランプ制御装置２０３に対して、ＬＣＤ７に表示させる内容を指示する表示用コマンドや、スピーカ７７等の音声制御を指示する音声用コマンド等が生成されて、出力する処理が実行される。
【００２２】
主制御装置２０１は、払出制御装置２０２と互いに制御信号を送受信可能にそれぞれ接続されている。また、主制御装置２０１から音声ランプ制御装置２０３に対しては、制御信号を一方向にのみ送信可能に接続されている。
【００２３】
払出制御装置２０２のＭＰＵは、カード読取ユニット１８と互いに制御信号を送受信可能にそれぞれ接続されている。払出制御装置２０２のＭＰＵは、主制御装置２０１から出力される賞球コマンドを受信すると、その賞球コマンドに応じて、球排出装置を作動させて、遊技者に賞球を払い出す処理を実行する。
【００２４】
カード読取ユニット１８からの貸し出し球の払出要求に応じて、球排出装置を作動させて、遊技者に貸球を払い出す処理を実行する。また、遊技者がカード読取ユニット１８に挿入したカードの残高が表示される残高表示器１４にカード読取ユニット１８から出力されている信号を、後述するフォトトランジスタＤＧａ〜ＤＧｃにより抽出（分岐）した信号が払出制御装置２０２に入力されている。
【００２５】
フォトトランジスタＤＧａは、後述する残高表示器１４の百の位を示す７セグメントＬＥＤ１４ａ（７つのＬＥＤ）を、それぞれ個別に点灯させるための各信号（７つのセグメント点灯信号）を、それぞれ個別に抽出（分岐）するものであり、７つのフォトトランジスタで構成されている。７つのフォトトランジスタＤＧａは、それぞれの信号を抽出（分岐）して、払出制御装置２０２へそれぞれ出力する構成となっている。なお、図３および図４には、７つあるフォトトランジスタＤＧａの１つを図示している。
【００２６】
フォトトランジスタＤＧｂは、残高表示器１４の十の位を示す７セグメントＬＥＤ１４ｂを、フォトトランジスタＤＧｃは、残高表示器１４の一の位を示す７セグメントＬＥＤ１４ｃを、それぞれフォトトランジスタＤＧａと同様の構成で抽出（分岐）する構成となっている。
【００２７】
払出制御装置２０２は、フォトトランジスタＤＧａ〜ＤＧｃより出力された信号を受信すると、主制御装置２０１に対してその信号を示す信号を出力する。なお、本実施形態では、払出制御装置２０２は、フォトトランジスタＤＧａ〜ＤＧｃより受信した信号に対して、特別な制御をすることなく、主制御装置２０１に出力する構成としたが、それに限られず、フォトトランジスタＤＧａ〜ＤＧｃの信号を受信すると、払出制御装置２０２のＭＰＵによりその信号が示す金額情報を判別して、その金額情報に基づく信号を主制御装置２０１へ出力するように構成してもよい。
【００２８】
また、金額情報によって、最小金額以上（本実施形態では、１００円以上）であれば、カード読取ユニット１８にカードが挿入されている状態であると判別して、その情報を主制御装置２０１に出力するように構成してもよい。このように構成することで、主制御装置２０１は、受信した金額情報を認識する処理を軽減することができる。
【００２９】
フォトトランジスタＤＧａ〜ＤＧｃが出力した信号をそのまま、払出制御装置２０２を介して、主制御装置２０１に入力されるように構成してもよい。このように構成することで、払出制御装置２０２のＭＰＵが行う処理を軽減できる。
【００３０】
なお、主制御装置２０１のＭＰＵは、払出制御装置２０２からフォトトランジスタＤＧａ〜ＤＧｃが出力した信号に基づく信号を受信すると、その信号より残高表示器１４に表示されている残高を認識する処理を実行する。ここで、主制御装置２０１のＭＰＵは、残高が最小金額以上（本実施形態では、１００円以上）であれば、カード読取ユニット１８に残高の残ったカードが挿入されている状態であると認識する。詳細については、後述するが、主制御装置２０１のＭＰＵは、残高の残ったカードがカード読取ユニット１８に挿入されていると判別した場合には、図５（ａ）示すように「カードが入っています！！」という文字や、図５（ｂ）に示すように、「カードの残高は５０００円です。」という判別したカード残高を遊技者に報知する文字を表示させるための表示用コマンドを音声ランプ制御装置２０３に出力するための処理を実行する。
【００３１】
カード読取ユニット１８は、挿入されたカード情報を読み取って球貸に関する制御を実行するＭＰＵとそのＭＰＵが実行する制御処理に関するプログラムや各種データが記憶されたＲＯＭ、各種制御データ等を一時的に記憶するためのＲＡＭが設けられている。カード読取ユニット１８の各種制御の詳細は、すでに公知のものであるので詳細な説明は省略する。
【００３２】
図３は、カード読取ユニット１８とパチンコ機１との電気的な接続を示したブロック図である。カード読取ユニット１８は、残高表示器１４の７セグメントＬＥＤ１４ａ〜１４ｃをそれぞれ点灯させるための信号を、３個のフォトトランジスタＳ１と、７個のフォトトランジスタＳ２とを介してパチンコ機１側に所定周期毎（例えば、１ｍｓ毎）に出力する。例えば、貸出ボタン１６が操作されて、５００円分の貸球が払い出された場合には、払出完了と共に、残高表示を５００円減算した表示で点灯するように信号を切り替える。
【００３３】
３個のフォトトランジスタＳ１は、残高表示器１４の百の位、十の位、一の位の３つの７セグメントＬＥＤ１４ａ〜１４ｃに、それぞれ１つずつ対応して設けられている。また、７個のフォトトランジスタＳ２は、７セグメントＬＥＤ１４ａ〜１４ｃを構成する、７つのセグメントＳＥＧａ〜ＳＥＧｇに、それぞれ１つずつ対応して設けられている。
【００３４】
例えば、残高表示器１４の百の位の７セグメントＬＥＤ１４ａに対応するフォトトランジスタＳ１がオンした状態で、セグメントＳＥＧｄに対応するフォトトランジスタＳ２がオンすれば、残高表示器１４の百の位のセグメントＳＥＧｄのＬＥＤが点灯する。即ち、残高表示器１４の百の位に「−」が表示される（図６参照）。また、残高表示器１４の十の位の７セグメントＬＥＤ１４ｂに対応するフォトトランジスタＳ１がオンした状態で、７個のフォトトランジスタＳ２がすべてオンすれば、残高表示器１４の十の位の７つのセグメントＳＥＧａ〜ＳＥＧｇがすべて点灯して、十の位に「８」が表示される。
【００３５】
図４は、図３における、残高表示器１４の７セグメントＬＥＤ１４ａ〜１４ｃを点灯させるために、カード読取ユニット１８から出力されている信号を、フォトトランジスタＤＧａ〜ＤＧｃで抽出（分岐）して、払出制御装置２０２に出力する構成を示したブロック図である。ここで用いられるフォトトランジスタＤＧａ〜ＤＧｃは、コレクタ側に抵抗が設けられており。コレクタからエミッタに流れる電流が大きくなりすぎてショートしてしまう不具合を防止している。また、エミッタ側はグランドに接続されている。また、本実施形態では、エミッタ側はグランドに接続することで、電流を引き込むことで、信号をアクティブにする構成としたが、図４のフォトトランジスタＤＧａ〜ＤＧｃの変形例として示すように、払出制御装置２０２側に電流を流し込む構成とすることで、信号をアクティブにする構成としても良い。
【００３６】
フォトトランジスタＤＧａは、残高表示器１４の７セグメントＬＥＤ１４ａの各セグメントＳＥＧａ〜ＳＥＧｇを点灯させるための信号を、それぞれ抽出（分岐）するためのものであり、７つのセグメントＳＥＧａ〜ＳＥＧｇのそれぞれに対応して、１個ずつ、合計で７個設けられている。
【００３７】
また、フォトトランジスタＤＧｂは、７セグメントＬＥＤ１４ｂの７つのセグメントＳＥＧａ〜ＳＥＧｇに対応して、フォトトランジスタＤＧｃは、７セグメントＬＥＤ１４ｃの７つのセグメントＳＥＧａ〜ＳＥＧｇに対応して、それぞれフォトトランジスタＤＧａと同様に、合計で７個ずつ設けられている。なお、このフォトトランジスタＤＧａ〜ＤＧｂは、残高表示器１４の７セグメントＬＥＤ１４ａ〜１４ｂが設けられているＬＥＤ基板にそれぞれ設けられている。
【００３８】
このようにフォトトランジスタＤＧａ〜ＤＧｃで、各セグメントＳＥＧａ〜ＳＥＧｇの点灯信号を抽出（分岐）することで、カード読取ユニット１８を介して、不正な電気的な信号をパチンコ機１側に出力することが防止できる。フォトトランジスタＤＧａ〜ＤＧｃは、光で信号を伝えるので、電気的な配線が無いからである。よって、電気的な配線を不正に変更してなされる不正行為による被害を低減できる。なお、カード読取ユニット１８とパチンコ機１との接続（信号の送受信）は、フォトダイオードを介して行っており、カード読取ユニット１８から不正な電気的な信号が送受信されない構成となっている。
【００３９】
音声ランプ制御装置２０３は、主制御装置２０１から表示用コマンドや音声コマンド等の制御コマンドを受信可能に電気的に接続されている。なお、音声ランプ制御装置２０３から主制御装置２０１へはコマンドを送信できない、一方向への通信構成となっている。音声ランプ制御装置２０３には、ＬＣＤ７やスピーカ７７（音声出力装置）が電気的に接続されており、主制御装置２０１から受信したコマンドに基づいて、それぞれ各種コマンドを生成して出力することにより制御が実行される。
【００４０】
残高表示器１４は、現在のカード残高が表示される７セグメントＬＥＤ１４ａ〜１４ｃが３つ横に並べられて構成されている。残高の単位は１００円単位となっており、例えば、百の位を示す７セグメントＬＥＤ１４ａが０、十の位を示す７セグメントＬＥＤ１４ｂが５、一の位を示す７セグメントＬＥＤ１４ｃが０であれば、カードの残高が「５０００円」であることを遊技者に示すこととなる。遊技球は、最低１００円単位で遊技者に貸し出されるので、一の位を示す７セグメントＬＥＤ１４ｃに１が表示され、百の位の７セグメントＬＥＤ１４ａと十の位の７セグメントＬＥＤ１４ｂとに０が表示される状態が最小の金額の表示となる。また、本実施形態では、カード読取ユニット１８には１万円札が入金可能となっており、その残高を使い切るまでは、次の入金ができない構成となっている。よって、残高表示器１４に表示される最大の残高は「１００」である１００００円を示す値となっている。
【００４１】
なお、本実施形態では、残高表示器１４に表示される最低額を１００円、最高額を１００００円としたが、それに限るものではなく適宜、設定するように構成しても当然良い。
【００４２】
なお、カード読取ユニット１８にカードが挿入されていない状態では、カード読取ユニット１８は、残高表示器１４の７セグメントＬＥＤ１４ａ〜１４ｃにそれぞれ「−」を表示した「−−−」を表示する構成である。主制御装置２０１は、残高表示器１４にこの「−−−」が表示されていると、払出制御装置２０２から出力されたフォトトランジスタＤＧａ〜ＤＧｃの信号を示すコマンドより判別した場合には、カード読取ユニット１８にカードが挿入されていない状態であると判別する。
【００４３】
また、主制御装置２０１は、払出制御装置２０２から出力されたフォトトランジスタＤＧａ〜ＤＧｃの信号を示すコマンドから、カード残高が所定残高（例えば、１０００円）以上あると判別した場合には、ＬＣＤ７に表示する図５（ａ）、図５（ｂ）の表示を赤い文字等のフォントの大きな目立つ文字（例えば、後述する残高が所定残高未満の時の、２倍のフォント）で表示して、さらに、スピーカ７７より、その文字を音声で表した内容を出力するコマンドを生成して、音声ランプ制御装置２０３に対して出力する。
【００４４】
一方、残高が所定残高（本実施形態では、１０００円）未満であると判別された場合には、図５（ａ）、図５（ｂ）の表示は、白い文字等の、フォントの小さな文字（例えば、残高が所定残高以上の時の１／２のフォント）で表示され、スピーカ７７からの文字の内容を示す報知はなされない。主制御装置２０１は、かかるコマンドを生成して、音声ランプ制御装置２０３に対して出力する。
【００４５】
このように構成することで、常に、大きな文字や、音声で報知されることで、遊技者にしつこく思われたり、同じ報知態様で報知されることで、慣れてしまい、報知内容に気づかなくなってしまうことを抑制できる。さらに、残高金額の大きい時には、報知態様が変化するので、遊技者に多大な損害が発生してしまうことを抑制できる。
【００４６】
また、残高表示器１４には、パチンコ機１側またはカード読取ユニット１８側の異常についても、エラーを表示する表示態様（本実施形態では、７セグメントＬＥＤ１４ａ〜１４ｃのすべてのセグメントを点灯と消灯を繰り返す点滅表示態様）で表示する。主制御装置２０１は、残高表示器１４にエラーを示す表示態様が表示されていると、払出制御装置２０２から出力されたフォトトランジスタＤＧａ〜ＤＧｃの信号を示すコマンドより判別した場合には、図５（ａ）に示す表示態様のみを、所定残高以上の場合の表示態様で表示する。なお、この場合に、音声の表示はなされない。このように構成することで、カード読取ユニット１８にカードの挿入状況や金額情報が認識できない状態でも、遊技者にカードの取り忘れを意識させることができ、遊技者のカードの取り忘れを防止できる。また、音声は出力しないことで、遊技者に長時間、カード報知の音声が出力されて、遊技者に不快な思いを抱かせることを防止できる。
【００４７】
なお、本実施形態では、残高表示器１４にエラーが表示されている場合には、所定残高以上の時の表示をするように構成したが、それに限らず、エラーを示す報知態様を文字で表示するように構成してもよい。また、音声についても、所定時間の間だけ、報知するように構成してもよい。このように構成することで、遊技者に、長時間、同じ音声が出力されて、不快な思いをさせてしまうのを防止できる。
【００４８】
本実施形態では、カード読取ユニット１８にカードが挿入されている信号について、７セグメントＬＥＤ１４ａ〜１４ｃを点灯させる信号から抽出（分岐）した。しかし、それに限らず、カード読取ユニット１８に残高の残っているカードが挿入されて、パチンコ機１側からも貸球の払出が可能な状態であることを示す遊技機レディー信号（ＰＲＤＹ）より抽出（分岐）するように構成してもよい。また、その遊技機レディー信号（ＰＲＤＹ）を受信した場合にカード読取ユニット１８より出力される球貸可ＬＥＤ信号（ＴＤＬＯ）より抽出（分岐）するように構成してもよい。
【００４９】
なお、この球貸可ＬＥＤ信号（ＴＤＬＯ）は貸出ボタンランプ１７を点灯させるための信号であり、この貸出ボタンランプ１７が点灯することにより、遊技者は、貸出ボタン１６が押下可能な状態であることが識別できる。このように構成することで、少ない信号線で、カード読取ユニット１８に残高のあるカードが挿入されているか判別することができる。よって、パチンコ機１のハード構成を容易で安価なもので構成することができる。その他、カード読取ユニット１８に残高のあるカードが挿入された場合に、信号を変化（アクティブまたはローアクティブに変化）する信号より抽出（分岐）するように構成してもよい。
【００５０】
また、カード読取ユニット１８よりカードが挿入された場合にアクティブとなる専用の信号を払出制御装置２０２に出力する構成としてもよい。このように構成することで、常時、カード読取ユニット１８にカードが挿入されたことを識別することができる。
【００５１】
また、フォトトランジスタＤＧａ〜ＤＧｃから出力される信号に基づいて認識したカード情報に基づいて、ＬＣＤ７で表示される抽選遊技の判別結果を示す特別図柄の変動表示態様（動的表示態様）の種別を選択するように構成してもよい。具体的には、カード残高が少ないときに、保留（図柄作動ゲート９を遊技球が通過したものの、特別図柄の作動中で直ぐに抽選遊技の結果について変動表示されないものを一時的に記憶する）に抽選結果が当たりとなる判定結果が記憶された場合には、「ギリギリで当たるね！！」という文字をＬＣＤ７に表示させることで、遊技者の状態に合わせた演出を行うことができる。なお、この演出は特別図柄の演出だけに限られず、図柄作動ゲート９に設けられた普通電動役物の羽根が開放すると判別された場合に、残り残高が少なければ、追加入金の準備を報知したり、また、第２種のパチンコ機で当たりとなった場合にも残り残高に基づいて、同様の報知をしてもよい。また、当たりとなった場合に、カード情報を判別して、カードを抜き取るように報知するように構成してもよい。このようにすることで、球貸の必要がなくなった場合に、速やかに遊技者にカードを抜き取るように告知でき、カードの抜き忘れ等を防止出来る。
【００５２】
また、遊技球が所定時間発射されなくなった場合や、操作ハンドルから遊技者が手を離した場合に、カード情報に基づいて、カードが挿入された状態であれば、抜き忘れを報知するように構成してもよい。このように構成することで、遊技者のカード抜き忘れを防止できる。操作ハンドルから遊技者が手を離したか否かは、操作ハンドルに設けたセンサーで検出できるし、遊技球が所定時間発射されなくなったことは、入賞口や図柄作動口などへの入賞または通過が所定時間以上ないことにより検出できる。更にはアウト口へセンサを設け、そのセンサがアウト球を所定時間以上検出できない場合に、遊技球が所定時間発射されなくなったことを検出できる。かかる場合に、カードが挿入されていれば、その旨を遊技者へ報知する。
【００５３】
更に、遊技者を検知する人感センサーをパチンコ機１に設けて、人感センサーがオフになった場合に、カードが挿入されていれば、抜き忘れを報知するように構成しても良い。このように構成することで、より確実に抜き忘れを報知できる。
【００５４】
また、本実施形態では、フォトトランジスタＤＧａ〜ＤＧｃから払出制御装置２０２へは、それぞれ７本の信号線が接続されて、合計２１本の信号線が接続される構成としたが、それに限らず、フォトトランジスタＤＧａ〜ＤＧｃ毎に出力される信号が入力されるＩＣを設けて、払出制御装置２０２にその各ＩＣから共通に出力される７本の信号線を接続する。払出制御装置２０２には、そのＩＣを指定するチップセレクターを設けておき、そのチップセレクターから各ＩＣに接続される３本の信号線が接続されている。よって、ＩＣから払出制御装置２０２には１０本の信号線が接続されることとなり、払出制御装置２０２に接続される信号線の本数を減らすことができる。ＩＣは、中継基板等に設けるように構成しても良いし、残高表示器１４の基板に設けるように構成してもよい。残高表示器１４の基板に設ける場合には、プリント線により各ＩＣへ接続することが可能となり、ハーネスの接続等の手間を減らすことができる。また、ＩＣを払出制御装置２０２に設けて、主制御装置２０１と払出制御装置２０２との間のハーネスの本数を減らすように構成してもよい。
【００５５】
図２（ｂ）は、第１実施形態の変形例１におけるパチンコ機１の電気的構成を示した図である。第１実施形態では、カード読取ユニット１８にカードが挿入されているか、カード残高についての情報を、残高表示器１４の７セグメントＬＥＤ１４ａ〜１４ｃを点灯させる為の信号を抽出して、払出制御装置２０２に出力する構成とした。これに代えて変形例１では、該信号が主制御装置２０１に出力される構成となっている。また、カード読取ユニット１８から出力される球貸に関する制御信号も主制御装置２０１と払出制御装置２０２とに出力する構成となっている。主制御装置２０１のＭＰＵは、払出制御装置２０２から出力される制御信号によって、球貸が可能な状態であるか判断して、カード読取ユニット１８に遊技機側レディ信号（ＰＲＤＹ）等を出力する構成となっている。また、主制御装置２０１のＭＰＵは、カード読取ユニット１８から制御信号を受信すると、その信号に対応した信号を払出制御装置２０２に出力する。
【００５６】
また、主制御装置２０１のＭＰＵは、フォトトランジスタＤＧａ〜ＤＧｃより出力された信号を抽出した信号に基づいて、残高のあるカードがカード読取ユニット１８に挿入されているか、カードの残高情報について判別する。そして、その判別した情報に基づいて、第１実施形態と同様の報知をする処理が実行される。このように構成することで、カードの挿入情報や、カード残高情報が主制御装置２０１に直接入力されるので、制御を敏速に行うことができる。
【００５７】
なお、本実施形態では、カード読取ユニット１８が出力する球貸に関する制御信号は、主制御装置２０１に出力する構成としたが、第１実施形態のように払出制御装置２０２に出力して、フォトトランジスタＤＧａ〜ＤＧｃから出力される信号のみを主制御装置２０１に出力するように構成してもよい。このように構成することで、球貸に関する制御は、払出制御装置２０２が主制御装置２０１の指示に関わらず行うことができ、主制御装置２０１の制御負荷を軽減することができる。
【００５８】
次に、図２（ｃ）は、第１実施形態の変形例２におけるパチンコ機１の電気的構成を示した図である。変形例２では、カード読取ユニット１８から出力される球貸に関する制御信号が払出制御装置２０２と音声ランプ制御装置２０３とに出力され、フォトトランジスタＤＧａ〜ＤＧｃから出力された信号を抽出した信号が音声ランプ制御装置２０３に対して出力される点で第１実施形態と相違する。このように構成することで、フォトトランジスタＤＧａ〜ＤＧｃから出力される信号を音声ランプ制御装置２０３が直接受信しして、音声ランプ制御装置２０３のＭＰＵがその受信した信号が示す、カード情報に基づいて、第１実施形態と同様の報知を行うことで、主制御装置２０１は報知をするための制御をする必要がなく、主制御装置２０１の制御負荷を軽減できる。また、音声ランプ制御装置２０３から主制御装置２０１に対しては、制御信号が出力されない構成であるので、カード読取ユニット１８から出力される信号が主制御装置２０１に出力されないので、不正を低減できる。
【００５９】
なお、本実施形態では、カード読取ユニット１８から出力される球貸に関する制御信号は、音声ランプ制御装置２０３に出力する構成としたが、球貸に関する信号は第１実施形態と同様に払出制御装置２０２に出力する構成として、フォトトランジスタＤＧａ〜ＤＧｃから出力される信号のみが音声ランプ制御装置２０３に出力される構成としてもよい。このように構成することで、音声ランプ制御装置２０３は、払出制御装置２０２に対して、貸球に関する制御信号を出力する必要がなくなり、音声ランプ制御装置２０３の制御負荷を軽減することができる。
【００６０】
次に、図２（ｄ）は、第１実施形態の変形例３におけるパチンコ機１の電気的構成を示した図である。変形例３では、フォトトランジスタＤＧａ〜ＤＧｃから出力される信号が払出制御装置２０２に出力された後、払出制御装置２０２から音声ランプ制御装置２０３に対してフォトトランジスタＤＧａ〜ＤＧｃから出力された信号を示す信号が出力される点で第１実施形態と相違する。このように構成することで、払出制御装置２０２から出力された信号が主制御装置２０１に出力されないので、主制御装置２０１に対する不正を抑制できる。また、主制御装置２０１を介さずに、フォトトランジスタＤＧａ〜ＤＧｃから出力される信号を示す信号が音声ランプ制御装置２０３に出力され、音声ランプ制御装置２０３によりカード情報が判別されて、第１実施形態と同様の報知が実行されるので、主制御装置２０１の制御負荷を軽減することができる。
【００６１】
なお、第１実施形態および第１実施形態の変形例１〜３においては、封入式パチンコ機（遊技球が遊技者に直接払い出されず、遊技機内に収められた遊技球で遊技を行うパチンコ機）についても、用いることができる。封入式パチンコ機では、遊技機がカード読取ユニット１８のカード情報を抽出して、報知や演出に用いるだけでなく、ホールコンピュータや管理コンピュータにも出力する構成が考えられる。
【００６２】
なお、第１実施形態および第１実施形態の変形例１〜３においては、カードを用いるカード読取ユニット１８を用いる構成としたが、それに限らず、金額情報（有価価値）が記憶されたプリペイド媒体（有価価値記憶媒体）である例えば、ＩＣチップの内蔵されたコインや、スティック等を用いる読取ユニットを用いることができる。
【００６３】
また、第１実施形態および第１実施形態の変形例１〜３においては、カード読取ユニット１８を用いることで、メダルを貸し出すスロット遊技機（回動式遊技機）に対しても用いることが可能である。
【００６４】
また、その他の構成として、残高表示器１４の７セグメントＬＥＤの光量を検出する光センサーをパチンコ機１の枠体に設けて、その光センサーの信号を音声ランプ制御装置２０３に入力することで、カード情報の報知を行うように構成してもよい。カード情報の残高情報は、光量の大きさを残高表示に対応させて予め記憶しておき、検出した光量に基づいて、残高を判別したり、光センサーを画像認識センサーに変更して、画像認識により、残高表示を認識することで、カードの残高を検出するように構成してもよい。このように構成することで、パチンコ機１に不正を行うための信号がカード読取ユニット１８を介して出力されるのを防止できる。また、実際に表示されている情報に基づいて、制御を実行することができるので、より正確な報知を行うことができる。また、残高表示の検出としては、ＬＥＤ表示の背面側や上面側、または周囲より検出することで、前面側にセンサーが配置されないので、遊技者の残高表示の視認性を損なってしまうことを防止できる。
＜その他＞
従来の遊技機には、遊技球等の遊技媒体の貸出を行うために、カードやコイン等の媒体を利用して遊技機に遊技媒体の貸出をさせる貸出用ユニット（カード読取ユニット）を遊技機に装着させるものが提案されていた（特許文献：特開平１１−２２１３３６号公報）。
しかしながら、かかる遊技機では、貸出用ユニット（カード読取ユニット）側からの指令により遊技機は遊技媒体を払いだす制御を行うのみであり、遊技機側では、貸出用ユニットの制御を行わない。よって、遊技機としては、貸出用ユニットにカードやコイン等が挿入された状態であるか判別ができなかった。このため、かかる遊技機では、遊技者にカードやコイン等の抜き忘れ等を知らせる制御を行えず、遊技者がカードやコイン等を抜き忘れてしまい、盗難や紛失の被害に遭うという問題点があった。
本技術的特徴は、上記例示した問題点等を解決するためになされたものであり、遊技者が遊技媒体の貸出用ユニット（カード読取ユニット）にカードやコイン等を抜き忘れることによる、遊技者の不利益を低減させる遊技機を提供することを目的としている。
＜手段＞
この目的を達成するために技術的特徴１の遊技機は、有価価値情報が記録された記録媒体の情報に基づいて、遊技媒体の貸出を行う貸出制御信号を出力する貸出手段により、遊技機に設けられた表示手段に前記記録媒体の情報を表示するための信号が出力される。その信号が抽出手段により抽出されて、その抽出した信号に基づいて、前記記録媒体の情報に基づいた態様で遊技者に報知する。
＜効果＞
本技術的特徴１の遊技機によれば、有価価値情報が記録された記録媒体の情報に基づいて、遊技媒体の貸出を行う貸出制御信号を出力する貸出手段により、遊技機に設けられた表示手段に前記記録媒体の情報を表示するための信号が出力される。その信号が抽出手段により抽出されて、その抽出した信号に基づいて、前記記録媒体の情報に基づいた態様で遊技者に報知するという効果がある。
【符号の説明】
【００６５】
１            パチンコ機（遊技機）
１４          残高表示器（表示手段）
１８          カード読取ユニット（貸出手段）
Ｐ            球（遊技媒体）